(57)【要約】【課題】２４時間タイマの設定表示をわかりやすくする。【解決手段】操作部３０と表示部４０と制御部６０とを備え、制御部には現在時刻の時間帯を判定するタイマ部６１と、各時間帯に対応する前記器機の運転または停止を記憶するメモリ６２と、を有し、表示部には、環状に1日を複数の時間帯に分割したセグメントで表示する環状表示部４５を複数層に並列して配置し、操作部で運転条件を設定するときには、環状表示部の第１層４６の時間帯に対応するセグメントの点灯で現在設定されている各時間帯が運転に設定されていることを表示し、セグメントの消灯で現在設定されている各時間帯が停止に設定されていることを表示し、環状表示部の第２層４７には現在変更の操作を行うことができる時間帯に対応するセグメンを点灯し、操作部にて変更操作を行うことで、第２層に対応する第１層のセグメントの表示を反転して設定条件の変更をおこなうようにした。【選択図】図５
2020051957.tif 000002
【特許請求の範囲】
【請求項１】
運転操作と運転条件の設定を行う操作部と、
設定された運転条件と現在の運転状況を表示する表示部と、
前記運転条件に応じて器機への運転指示を行う制御部と、を備え、
前記制御部には、現在時刻の時間帯を判定するタイマ部と、
前記時間帯の、各時間帯に対応する前記器機の運転または停止を記憶するメモリと、を有し、
前記表示部には、環状に1日を複数の時間帯に分割したセグメントで表示する環状表示部を複数層に並列して配置し、
前記操作部で前記運転条件を設定するときには、前記環状表示部の第１層の前記時間帯に対応するセグメントの点灯で現在設定されている各時間帯が運転に設定されていることを表示し、前記セグメントの消灯で現在設定されている各時間帯が停止に設定されていることを表示し、
前記環状表示部の第２層には現在変更の操作を行うことができる前記時間帯に対応するセグメンを点灯し、前記操作部にて変更操作を行うことで、前記第２層に対応する第１層のセグメントの表示を反転して設定条件の変更をおこなうことを特徴とする２４時間タイマ。
【請求項２】
筐体の上部に排気口を、下部に給気口を有し、該給気口と前記排気口の間に電気ヒータを備え、
前記電気ヒータの作動によって発生する自然対流で室内の暖房を行う対流型電気暖房機において、
運転操作と運転条件の設定を行う操作部と、
設定された運転条件と現在の運転状況を表示する表示部と、
前記運転条件に応じて前記電気ヒータへの運転指示を行う制御部と、を備え、
前記制御部には、現在時刻の時間帯を判定するタイマ部と、
前記時間帯の、各時間帯に対応する前記電気ヒータの運転または停止を記憶するメモリと、を有し、
前記表示部には、環状に1日を複数の時間帯に分割したセグメントで表示する環状表示部を複数層に並列して配置し、
前記操作部で前記運転条件を設定するときには、前記環状表示部の第１層の前記時間帯に対応するセグメントの点灯で現在設定されている各時間帯が運転に設定されていることを表示し、前記セグメントの消灯で現在設定されている各時間帯が停止に設定されていることを表示し、
前記環状表示部の第２層には現在変更の操作を行うことができる前記時間帯に対応するセグメンを点灯し、前記操作部にて変更操作を行うことで、前記第２層に対応する第１層のセグメントの表示を反転して設定条件の変更をおこなう２４時間タイマを備えることを特徴とする対流型電気暖房機。
【発明の詳細な説明】
【技術分野】
【０００１】
本発明は、利用時間帯に応じて装置の制御を行うタイマと、このタイマを使用する電気暖房機に関するものである。
【背景技術】
【０００２】
従来例として特許２９００８５２号の風呂装置に使用される２４時間タイマが有る、この２４時間タイマは、風呂の温度と、風呂を使用する時間帯と、を設定する設定装置を備えている。この設定装置の設定状態を表示するために、サークル状に1日の時間帯を分割して８個のランプで表示する表示部を有し、入浴時間帯としてセットされた時間帯に相当するランプが点灯する。使用者は入浴予定の時刻に対応するランプが点灯しているかを目視で確認でき、現在の時刻に対応する時間帯のランプが点灯していれば、すぐに入浴することができ、ランプが消灯していれば、風呂の温度を上昇させる操作を行って、風呂の温度が設定温度まで上昇するのを待って入浴を行う。入浴予定の時刻が変われば必要に応じて変更できる。（例えば、特許文献１参照）
【先行技術文献】
【特許文献】
【０００３】
【特許文献１】特許２９００８５２号公報
【発明の概要】
【発明が解決しようとする課題】
【０００４】
ところで、上記の特許文献１のものでは、入浴時間帯の設定や設定変更を行うには、送りスイッチの押圧のたびに、８個のランプをカーソルが移動するように構成され、送りスイッチを押圧して設定を変更したい時間帯にカーソルを移動させる。この時カーソルのあるランプは点滅するが、入浴時間帯であれば点灯時間の長いゆっくりした点滅、非入浴時間帯であれば点灯時間の短い点滅とすることで、現在の設定状態を認知して、入浴時間帯の設定や設定変更を行ている。このような表示では、使用者はランプの点灯がＯＮ、消灯がＯＦＦであることを直感で理解することは容易であるが、点灯時間の長いゆっくりした点滅と、点灯時間の短い点滅の違いを判別したり、これら示す意味を理解することは難しいものだった。
【課題を解決するための手段】
【０００５】
本発明は上記課題を解決するために、運転操作と運転条件の設定を行う操作部と、設定された運転条件と現在の運転状況を表示する表示部と、前記運転条件に応じて器機への運転指示を行う制御部と、を備え、前記制御部には、現在時刻の時間帯を判定するタイマ部と、前記時間帯の、各時間帯に対応する前記器機の運転または停止を記憶するメモリと、を有し、前記表示部には、環状に1日を複数の時間帯に分割したセグメントで表示する環状表示部を複数層に並列して配置し、前記操作部で前記運転条件を設定するときには、前記環状表示部の第１層の前記時間帯に対応するセグメントの点灯で現在設定されている各時間帯が運転に設定されていることを表示し、前記セグメントの消灯で現在設定されている各時間帯が停止に設定されていることを表示し、前記環状表示部の第２層には現在変更の操作を行うことができる前記時間帯に対応するセグメンを点灯し、前記操作部にて変更操作を行うことで、前記第２層に対応する第１層のセグメントの表示を反転して設定条件の変更をおこなうようにした。
【発明の効果】
【０００６】
本発明によれば、操作部でタイマを設定するときには、環状表示部の第１層の時間帯に対応するセグメントの点灯で現在設定されている各時間帯が運転に設定されていることを表示し、第１層のセグメントの消灯で現在設定されている各時間帯が停止に設定されていることを表示し、環状表示部の第２層には現在変更の操作を行うことができる時間帯に対応するセグメンを点灯し、操作部にて変更操作を行うことで、第２層に対応する第１層のセグメントの表示を反転して設定条件の変更をおこなうようにすることで、第１層のセグメントと第２層のセグメントを同時に目視した状態で設定変更をすることがでるので、きわめてわかりやすく簡単にタイマ設定をすることができる。
【図面の簡単な説明】
【０００７】
【図１】この発明の一実施形態の対流型電気暖房機の操作パネル。
【図２】同概略断面図。
【図３】同制御装置のブロック図。
【図４】同タイマ設定時の説明図。
【図５】同タイマ設定時の説明図。
【発明を実施するための形態】
【０００８】
本発明の２４時間タイマとこれを利用する対流型電気暖房機１０の一実施形態を図面に基づき説明する。
１１は対流型電気暖房機１０の本体を構成する筐体で、この筐体１１の底面に空気の吸込口１２と、上面に空気の吹出口１３と、側面に操作パネル１４を有している。また、筐体１１の内部にはヒータユニット１５と、吸込口１２近傍に室温センサ１６を備え、吸込口１２とヒータユニット１５と吹出口１３とを連通して空気の流通路１７を形成している。筐体１１底面の四隅には脚部１８を有し、この脚部１８にはキャスタ１９を備えることで対流型電気暖房機１０の移動を容易にしている。
【０００９】
前記ヒータユニット１５は複数本のシーズヒータ２０ａ・２０ｂ・２０ｃによって構成され、強運転が１，２００Ｗ、中運転が９００Ｗ、弱運転が６００Ｗで運転することができる。
【００１０】
前記吸込口１２と吹出口１３には桟２２と、この桟２２の内側に金網（図示せず）を有することで、火傷の防止や器具内への害虫の侵入を防止する。これによって、ヒータユニット１５は筐体１１外に露出することが無いので、火傷や火災の危険性が極めて小さく、安全な暖房手段として数日間連続運転で使用されることが多い。
【００１１】
前記操作パネル１４には、運転操作と運転条件の設定を行う操作部３０と、この操作部３０で設定された運転条件と現在の運転状況を表示する表示部４０を有している。また、操作パネル１４または筐体１１内には運転条件に応じて電気暖房機１０への運転指示を行う制御部６０を備えている。
【００１２】
前記操作部３０は操作パネル１４の下部に備える多数の押圧スイッチで構成される。３１は運転スイッチで、押圧で電気暖房機１０が運転を開始し、再度の押圧で運転を停止する。３２は運転モードの切換えを行う運転切換スイッチで、押圧によって「自動」、「手動」、「プログラム」の3種類の運転モードが順次切換る。３３は入りタイマスイッチで、設定時間後に電気暖房機１０が自動または手動の運転モードで運転を開始する。３４は十字スイッチで、中央のメニュー決定ボタン３５と、右方向を示す右ボタン３６と、左方向を示す左ボタン３７と、上方向を示す上ボタン３８と、下方向を示す下ボタン３９の５個のボタンで構成される。メニュー決定ボタン３５の押圧と、左右ボタン３６・３７、上下ボタン３８・３９の選択で、入りタイマの時間設定や、プログラムモードの時間設定、現在時刻の設定、室温設定を行い、メニュー決定ボタン３５の再度の押圧で各設定を確定する。
【００１３】
前記表示部４０は操作パネル１４の上部に備える多数のランプで構成される。４１は４桁の数字で時刻等を表示する時刻表示部で、時刻だけでなく室温や単なる数字の表示も行う。時刻表示部４１の上には時計合せランプ４２を、時刻表示部４１の下にはプログラム合せランプ４３を有し、十字スイッチ３４を使用した現在時刻の設定時やプログラム運転（２４時間タイマ）の時刻設定のときに点灯することで、使用者が行っている設定作業の種類を表示する。時計合せランプ４２の上には入りタイマランプ４４を有し、入りタイマ運転時に点灯する。
【００１４】
４５は環状に１日を２４の時間帯に分割したランプ（セグメント）で表示する環状表示部で、第１層４６を外側に、第２層４７を内側に並列して配置してランプ（セグメント）で表示する。第１層４６の更に外側には、最上部の「０」から時計回り（右回り）方向に、数字と点によって第１層４６の各ランプの時間帯を示す時刻印字４８が、印操作パネル１４表面に予め印刷されている。環状表示部４５の上方には、運転モードが「自動」のときに点灯する自動ランプ４９と、「手動」のときに点灯する手動ランプ５０、「プログラム」のときに点灯するプログラムランプ５１を水平方向に配置している。５２は運転スイッチ３１の上部に位置する運転ランプで、運転スイッチ３１の押圧による点灯、消灯で電気暖房機１０の運転または停止を表示する。
【００１５】
６０は操作パネル１４の裏面や筐体１１内に備えられた制御部で、電気暖房機１０への運転制御を行う。制御部６０内には、現在の時刻や現在時刻の時間帯を判定するタイマ部６１と、運転条件や設定された時間、時刻を記憶するメモリ６２を備えている。また、このメモリ６２はプログラムモードで設定されている各時間帯に対応する電気暖房機１０の運転または停止（ＯＮ−ＯＦＦ）を記憶する。
【００１６】
「自動」、「手動」、「プログラム」の3種類の運転モードについて説明する。
自動運転は室温センサ１６が検知する室温と設定室温（使用者が設定する温度、初期値は２０℃）との温度差に応じてヒータユニット１５の出力を強・中・弱と切り換えて運転することで自動で室温調整を行う。運転モードが自動運転に設定されているときは、運転スイッチ３１の押圧で自動運転を開始し、運転スイッチ３１の再度の押圧によって停止するまで自動運転を継続する。また、自動運転中は自動ランプ４９が点灯し、時刻表示部４１に数字で設定室温を表示する。また、設定室温の変更は自動運転中に上ボタン３８を押圧するごとに、設定室温が１℃上昇し、下ボタン３９を押圧するごとに、設定室温が１℃下降する。
【００１７】
手動運転はヒータユニット１５の出力を強・中・弱の中から手動により選択し、選択された出力で継続運転する。手動運転が運転モードに設定されているときは、運転スイッチ３１の押圧で前回運転時の運転出力で運転を開始し、運転スイッチ３１の再度の押圧によって停止するまで手動運転を継続する。また、手動運転中は手動ランプ５０が点灯し、時刻表示部４１を利用して「Ｈｉ」（強出力を表現）、「Ｍｉｄ」（中出力を表現）、「Ｌｏ」（弱出力を表現）を表示する。また、強・中・弱の出力変更は手動運転中に上ボタン３８を押圧するごとに、大きな方向の出力に切換り、下ボタン３９を押圧するごとに、小さな方向の出力に切換ることで行われる。
【００１８】
プログラム運転は制御部６０が備える２４時間タイマの機能によって行われる。使用者が毎日の生活パターンを基にあらかじめ設定した、各時間帯での電気暖房機１０のＯＮ（運転）またはＯＦＦ（停止）にて運転を行うものである。プログラム運転ではＯＮに設定されている時間帯になると、先に説明した自動運転モードと同じ作動で室温調整が行われる。運転スイッチ３１は基本的に最初に電気暖房機１０を使用開始するするときと、停止するとき操作するだけであり、停止操作を行うまでは２４時間タイマの設定に応じて自動でプログラム運転が実施される。また、プログラム運転中はプログラムランプ５１が点灯し、プログラム運転中であることを表示する。また、環状表示部４５の第１層４６を構成する２４個のランプは、それぞれ1時間の時間帯を示し、最上部から時計回り（右回り）方向に２４個のランプが１周することで１日２４時間の表示ができ、ＯＮに設定されている時間帯のランプが点灯する。また、時刻表示部４１は現在の時刻を表示する。
【００１９】
プログラム運転における各時間帯のＯＮ−ＯＦＦ設定について図１・４・５によって説明する。
電気暖房機１０の停止時にメニュー決定ボタン３５を押圧すると、入りタイマランプ４４が点滅し、時計合せランプ４２とプログラム合せランプ４３のランプが点灯する。左右ボタン３６・３７の押圧によってプログラム合せランプ４３を選択し（点滅に換え）、再度メニュー決定ボタン３５を押圧するすれば、プログラム合せランプ４３は点灯すると同時に、入りタイマランプ４４と時計合せランプ４２が消灯する。この状態で左右ボタン３６・３７を押圧れば、プログラム合せランプ４３は「プログラム１合せ」、「プログラム２合せ」、「プログラム３合せ」と順次変化し、３種類のプログラム運転を選択できる。図４の表示部４０は「プログラム２合せ」を選択した場合を示している。ここで、環状表示部４５の第１層４６は現在のプログラム設定の状態を示し、１６時から７時までのランプが点灯しているので、ＯＮ（運転）に設定され、７時から１６時までのランプが消灯しているのでＯＦＦ（停止）に設定されている。環状表示部４５の第２層４７は０時から１時の間の時間帯のランプのみが点灯する。時刻表示部４１は０時から１時の間の時間帯を示す「０−１」を点灯表示する。
【００２０】
環状表示部４５の第２層４７は設定のＯＮ−ＯＦＦを変更可能な時間帯を示し、左右ボタン３６・３７の押圧によって移動する。図５の表示部４０の破線矢印で示す様に、右ボタン３６を３回押圧して第２層４７のランプを３時から４時の時間帯に移動する。このとき、時刻表示部４１も「３−４」に変化する。そして、上下ボタン３８・３９を押圧すれば、第１層４６の３時から４時の時間帯のランプがＯＮ（点灯）からＯＦＦ（消灯）に切換る。更に、左右ボタン３６・３７と上下ボタン３８・３９を操作すれば全ての時間帯の設定変更ができる。設定変更が終了したならばメニュー決定ボタン３５の押圧で設定変更が確定され、メモリ６２に記憶される。
【００２１】
以上説明したように、本発明によれば、操作部４０でタイマを設定するときには、環状表示部４５の第１層４６の時間帯に対応するセグメントの点灯で現在設定されている各時間帯が運転に設定されていることを表示し、セグメントの消灯で現在設定されている各時間帯が停止に設定されていることを表示し、環状表示部４５の第２層４７には現在変更の操作を行うことができる時間帯に対応するセグメンを点灯し、操作部４０にて変更操作を行うことで、第２層４７に対応する第１層４６のセグメントの表示を反転して設定条件の変更をおこなうようにすることで、第１層４６のセグメントと第２層４７のセグメントを同時に目視した状態で設定変更をすることがでるので、きわめてわかりやすく簡単にタイマ設定をすることができる。
【００２２】
また、セグメントの点滅を使用者が判定して操作を行う必要がないことで、わかりやすく簡単にタイマ設定をすることができる。また、２４時間タイマとして対流型電気暖房機１０で使用すれば、対流型電気暖房機１０の操作性を向上することができる。
【００２３】
また、本実施形態で用いた構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００２４】
１０  対流型電気暖房機
１１  筐体
１２  吸込口
１３  吹出口
１４  操作パネル
１５  ヒータユニット
３０  操作部
３１  運転スイッチ
３２  運転切換スイッチ
３４  十字スイッチ
４５  環状表示部
４６  第１層
４７  第２層
６０  制御部
６１  タイマ部
６２  メモリ
【図１】
2020051957.tif 000003
【図２】
2020051957.tif 000004
【図３】
2020051957.tif 000005
【図４】
2020051957.tif 000006
【図５】
2020051957.tif 000007